(57)【要約】      （修正有）【課題】小面積の発光面を有するＬＥＤなどによる光源と、この光源の発光面積に見合う多面プリズム面の複数を有するレンズとを組合わせた、装飾用照明装置とすることで、使用するＬＥＤの数を画期的に減少させ、コストダウンを実現する。【解決手段】点光源状のＬＥＤ３を採用すると共に、このＬＥＤ３の発光サイズに合わせた多面プリズム４ａを形成し、組合わせることで、ＬＥＤ３の像の多面プリズム４ａによる光像の分離をシャープなものとし、且つ、使用するＬＥＤの数も格段に少ないものとしてランニングコストを低減すると共に、基板２上をホログラムで覆うことで明るい環境でも美観を損なわないものとする。【選択図】図１
2006210170.tif 000002
【特許請求の範囲】
【請求項１】
基板上に所定の配置として取付けられた複数の点光源と、ライトガイドと、多面プリズムを有するレンズとから成る照明装置であって、前記ライトガイドには、前記点光源からの光を入射する入射部と、前記入射部に入射する光を略光射出方向に反射する反射部と、前記入射部に入射する光を前記反射部に導く導光部と、前記反射部で反射された光を外部に射出する光射出部と、前記光射出部から射出される光に少なくとも一方向に強弱を与える光量調整手段とが設けられ、前記ライトガイド上には複数の多面プリズムを有するレンズが設けられていることを特徴とする装飾用照明装置。
【請求項２】
前記基板は、表面の全面、或いは、任意の形状の区画を形成して反射型のホログラムにより覆われていることを特徴とする請求項１記載の装飾用照明装置。
【請求項３】
前記ライトガイドの前記光量調整手段が成す光の強弱方向と、前記多面プリズムが並ぶ方向とを略等しくしたことを特徴とする請求項１または請求項２記載の装飾用照明装置。
【請求項４】
前記ライトガイドの前記光量調整手段は、前記光射出部に設けられた条状突起、若しくは、前記反射部に設けられた条状溝であることを特徴とする請求項１〜請求項３何れかに記載の装飾用照明装置。
【請求項５】
前記ホログラムは透過型であって、前記ライトガイドと前記多面プリズムを有するレンズとの間に配置されていることを特徴とする請求項１〜請求項４記載の装飾用照明装置。
【請求項６】
前記透過型ホログラムとは反対側となる前記光源の背面側にはリフレクタを設けたことを特徴とする請求項５記載の装飾用照明装置。
【請求項７】
反射型ホログラム若しくは透過型ホログラムと、前記ホログラム上に配置された多面プリズムを有するレンズとから成り、前記透過型ホログラムの下方、若しくは、反射型のホログラムの表面には、光源が必要に応じて設けられていることを特徴とする装飾用照明装置。
【発明の詳細な説明】
【技術分野】
【０００１】
本発明は、例えば、パネル状に個別の遊技機が並べられ、各遊技機のそれぞれを１人の遊技者が専用して遊技が行えるようにレイアウトが行われた遊技場などにおいて、各遊技機の周縁に取付けられて、隣接する遊技機間での作動状態があまり明確に近隣に知れることをなくして、遊技者の集中力を損なうことをなくすると共に、美観も向上させる装飾用照明装置に係るものである。
【背景技術】
【０００２】
従来のこの種のリニア多面プリズム９１を用いた灯具９０の例を示すものが図８であり、この灯具９０においては、図示の状態で紙面に対して鉛直方向に整列されたＬＥＤ９３の前面には、図９に示すようなリニア多面プリズムカット９１の複数が長手方向を同一方向として並べられ、板状とされたレンズ９２に取付けられている。
【０００３】
この状態で、前記ＬＥＤ９３を点灯させ、レンズ９２側から点灯状態を観視すると、図１０に示すように１列のＬＥＤ９３が整列されているＸ方向と共に、それと直交するＹ方向にも複数の光像Ｈが表れるものとなり、あたかも、実際に使用されているＬＥＤ９３よりも多数のＬＥＤが使用されているように見え、華麗さが向上して美感が増すと共に、コストダウンも可能となる。
【０００４】
尚、上記に説明した灯具９０においては、光源として前記ＬＥＤ９３に換えて、例えば冷陰極蛍光管、ネオン管などを採用することも可能であり、この場合には複数の光る線がＸ方向（図１０参照）に並ぶものとなり、同様に少ない費用で華麗さが演出できるものとなると称している。
【特許文献１】特開平０６−１８７８１０号公報
【発明の開示】
【発明が解決しようとする課題】
【０００５】
しかしながら、上記した従来の装飾用照明装置においては、ＬＥＤ９３など光源を点灯していない状態ではレンズ９２面のリニア多面プリズムカット９１、および、前記ＬＥＤ９３が取付けられた基板の色、配線の状態などが見えるものとなり、著しく美観を損なうものとなる。
【０００６】
また、Ｙ方向には確かに、ＬＥＤ９３の数が増えて見えるが、Ｘ方向、即ち、列方向には従来と同じ数のＬＥＤ９３が必要とされ、大幅なＬＥＤ９３の数の低減はできず、それ程のコストダウンは期待できないものであった。
【課題を解決するための手段】
【０００７】
本発明は、前記した従来の課題を解決するための具体的手段として、基板上に所定の配置として取付けられた複数の点光源と、ライトガイドと、多面プリズムを有するレンズとから成る照明装置であって、前記ライトガイドには、前記点光源からの光を入射する入射部と、前記入射部に入射する光を略光射出方向に反射する反射部と、前記入射部に入射する光を前記反射部に導く導光部と、前記反射部で反射された光を外部に射出する光射出部と、前記光射出部から射出される光に少なくとも一方向に強弱を与える光量調整手段とが設けられ、前記ライトガイド上には複数の多面プリズムを有するレンズが設けられていることを特徴とする装飾用照明装置を提供することで課題を解決するものである。
【発明の効果】
【０００８】
本発明により、小面積の発光面を有するＬＥＤなどによる光源と、この光源の発光面積に見合う多面プリズム面の複数を有するレンズとを組合わせた、装飾用照明装置とすることで、一つのＬＥＤを、多面プリズムの幅方向には、この多面プリズムの面数と同数に増やして見せると共に、多面プリズムの長手方向には、前記ライトガイドに設けられた反射部と同数に増やして見せ、もって、使用するＬＥＤの数を画期的に減少させ、コストダウンに極めて優れた効果を奏するものである。
【０００９】
また、また、ＬＥＤが取付けられている基板面を、反射型、透過型のホログラムで覆うことで、ＬＥＤの消灯時においても、基板の表面など内部の構成が見えないものとすると共に、外光によってもホログラム特有の美麗な光を反射するものとし、昼間時にも内部が覗かれるのを防ぐ目的のみで点灯を行うなど、無駄な電力消費をなくし、ランニングコストの低減にも優れた効果を奏するものである。
【発明を実施するための最良の形態】
【００１０】
つぎに、本発明を図に示す実施形態に基づいて詳細に説明する。まず、図１に示すものは、本発明に係る装飾用照明装置１の基本動作を説明するものであり、図中に符合２で示すものは基板であり、この基板２には、ＬＥＤ３など発光面積が小さく、実質的に点光源とみなせる光源が取付けられている。
【００１１】
そして、前記ＬＥＤ３の上方（即ち、観視方向）にはレンズ４が設けられており、このレンズ４に多面プリズム４ａが形成されている。尚、図ではレンズ４のＬＥＤ３側の面に多面プリズム４ａが形成されているが、塵埃の付着、異物の衝突による多面プリズム４ａの損傷の面などを総合的に考えれば、図示のようにレンズ４の内側に設ける方が優れるが、本発明は内側に設けることを限定するものではない。
【００１２】
図２は、ＬＥＤ３の点灯が行われた状態をレンズ４側から見た状態を示すもので、前記ＬＥＤ３から放射された光は、多面プリズム４ａのそれぞれの辺に達すると図１に示す状態で、ほぼ、上方に向かう屈折を受け、レンズ４の外面に対して鉛直方向に向かうものとなる。
【００１３】
従って、多面プリズム４ａが５辺で形成されている場合には、前記多面プリズム４ａと直交する方向に５個のＬＥＤ３の光像Ｇが並ぶものとなり、このときには、それぞれの光像Ｇが、なるべく同じ大きさ、同じ形状となるように、多面プリズム４ａの各辺の傾斜、傾き、幅などを定めておけば、美麗さが向上する。また、多面プリズム４ａ毎に取付けるＬＥＤ３の発光色を変えれば、前記プリズム４ａ毎に列の色が異なり一層に美麗さが向上する。
【００１４】
以上は多面プリズム４ａに直交する方向に対する光像Ｇの増加の方法を述べたものであるが、ＬＥＤ３の使用する数の低減のためには、前記多面プリズム４ａと平行する方向にも見かけの数を増やすことも有効である。よって、本発明では、前記多面プリズム４ａの下方にライトガイド５を設けることで、前記多面プリズム４ａと平行する方向へもＬＥＤ３の数の低減を可能とする手段も提供している。
【００１５】
図３は前記ライトガイド５の構成の例を簡素化して示すものであり、このライトガイド５は、透明な樹脂部材で形成され、前記レンズ４寄りに略平行な平面として形成された導光部５ａと、前記導光部５ａの一方の端部に略直角な短辺として設けられた入射部５ｂと、前記入射部５ｂが設けられた端部から他方の端部に向かい先上がりの状態として設けられる反射部５ｃとで略くさび状の形状として形成されている。
【００１６】
更に、ライトガイド５の光射出面５ｄ側には、光射出部５ｅであるとともに、この光射出方向に射出される光の少なくとも一方向に強弱を与える複数の条状の溝または突起から成る光量調整手段を形成している。  
【００１７】
このように、略くさび状として形成したことで、入射部５ｂからライトガイド５内に入射された光は、このライトガイド５が形成された樹脂部材の屈折率（約１．５）と、大気の屈折率（約１．０）の差により両者の境界面で高屈折部材側への全反射を生じる（スネルの法則）ものとなり、導光部５ａ内で反射を繰り返しながら略くさび状としたライトガイド５の先端方向に向かうものとなる。
【００１８】
このときに、前記光射出面５ｄに、この導光部５ａに達した光が全反射を生じない角度となるような光射出部５ｅを設けておけば、入射部５ｂから入射されたライトガイド５内の光は、前記光射出部５ｅから外部に放射されるものとなり、この光射出部５ｅを前記光射出面導光部５ｄに一定のピッチとして形成しておけば、ライトガイド５から射出される光を、このピッチ方向に強弱を有するものとすることができる。即ち、この光射出部５ｅにて、ライトガイド５からの射出光に一方向の強弱を与える光量調整手段５ｆとするものである。このようにすることにより、ＬＥＤの複数が多面プリズム４ａのな長手方向に沿い配置されているような作用が得られる。
【００１９】
ここで、前記ライトガイド５は上記にも説明したように光射出面５ｄと反射部５ｃとで略くさび状の形状とされており、更に、光射出面５ｄ側に複数の光射出部５ｅが設けられていれば、入射部５ｂから距離が遠くなるほど内部を伝播している光量が減少していることが予想できるものとなる。
【００２０】
よって、本発明においては、例えば前記光射出部５ｅの形成される幅を入射部５ｂから距離が遠くなるほど大きく形成するなどの、前記多面プリズム４ａを透過してみるときには、前記入射部５ｂから距離が近いものも、遠いものも同程度の明るさとして見えるような光量調整手段５ｆとしても良いものである。
【００２１】
尚、上記の説明は、ライトガイド５の片側に入射部５ｂが設けられ、１個のＬＥＤからライトガイド５内への光の入射が行われているものとして説明したが、本発明はこれを限定するものではなく、図４に示すようにライトガイド５の両端に入射部５ｂを設け、反射部５ｃは中心が薄いものとして、前に説明したライトガイド５を向き合わせて一体化したような形状とすることも自由である。
【００２２】
また、前記光量調整手段５ｆも、上記の説明では導光部５ａ側に設けられているものとして説明したが、これも限定されるものではなく、反射部５ｃ側に設けられていても良いものである。
【００２３】
図５に示すものは、前記ライトガイド５の更に別な実施形態であり、上記実施形態とは、光源３の配置方向と、光源３の光を反射する反射面５ｇと、反射部５ｃが異なっているもので、他のものについては同一であるので、ここでの詳細な説明は省略する。
【００２４】
光源３はライトガイド５の光射出方向と同一の方向に設けられており、ライトガイド５の端部に設けた反射面５ｇに光を照射するものである。そして、この反射面５ｇにより光をライトガイド５の光射出方向と略直交する方向へ反射し、導光部５ａに光を導くものである．また反射面５ｃは、階段状に形成しており、これにより、射出光に一方向の強弱を与える光量調整手段５ｆの機能を備えたものとしている。
【００２５】
図６に示すものは本発明に係る装飾用照明装置１の別な実施形態であり、上記に説明したものは、レンズ４、或いは、多面プリズム４ａはＬＥＤ３、即ち、点光源の点灯によってのみ光輝するものとして説明した。このことは、本発明の装飾用照明装置１は少なくとも使用（営業）中は点灯が継続されることを前提として形成されているものであり、逆に言えば消灯時の美観、或いは、点灯を行うことがそれ程の効果を示さないほどに明るい場所での装飾効果は、それ程に期待できず、むしろ、基板２の表面の色や、内部構造が見えて美観が損なわれる場合も生じ得る可能性がある。
【００２６】
本発明は、この点も解決すべく、前記基板２のレンズ４側の面に、微細な間隔で凹凸、或いは、溝が設けられ、光に波長レベルでの干渉を生じさせて外光により虹色の紋様を生じさせる、ホログラムテープ、グレーティングテープ、或いは、単にホログラムと称されているテープ状部材（以下、ホログラム６と称する）が貼着されている。
【００２７】
そして、この実施形態では、ホログラム６が貼着された基板上に従来と同様にＬＥＤ３、ライトガイド５、多面プリズム４ａを有するレンズ４が取付けられている。従って、夜間などのＬＥＤ３の点灯時には、ＬＥＤ３と多面プリズム４ａとによる表示が優勢となり、昼間など外光が豊富に存在する状態では、多面プリズム４ａを通して見えるホログラム６からの反射光による表示が優勢となり、ホログラム６からの表示のみで充分であればＬＥＤ３の消灯は可能となり、消費電力が低減し一層のランニングコストの低減が可能となる。
【００２８】
図７は、本発明の更に別な実施形態を要部で示すものであり、この実施形態では更に一層に昼間時の見栄えの向上と消費電力の低減とを計るものであり、主に昼間時の使用が多い、或いは、明るい場所での使用が多い場合には相応の効果が発揮される。
【００２９】
この更に別の実施形態においては、前記基板２の表面には、前の実施形態と同様に全面にホログラム６が貼着されても良く、或いは、市松模様状に１個飛びにホログラム６が貼着されても良いものであるが、ＬＥＤ３及びライトガイド５も市松模様状に取付けられるものとされる。尚、市松模様状にホログラム６が貼着されたときには、ホログラム６と、ＬＥＤ３及びライトガイド５が取付けられる区画とは重複しない。
【００３０】
このように構成することでＬＥＤ３の点灯を行ったときには、装飾用照明装置１のＬＥＤ３が設けられた半数の区画が市松模様状に点灯するものとなり、前記ＬＥＤ３が設けられた、それぞれの区画は多面プリズム４ａを介して上記に説明したように縦横にライン状の光芒を生じる。
【００３１】
そして、残りの半数の区画は、外光により虹状の模様が多面プリズム４ａにより変形されて見えるものとなり、更には外光の明るさの変化により見栄えも種々に異なるものとなり、非常に動的に変化する表現が可能となる。特に、基板の全面にホログラム６が取付けてある場合には、外光の明るさによっては、前記ライトガイド５を含め、前記ＬＥＤ３を消灯或いは除去しても、充分に美麗な表示が行われるものとなる。
【００３２】
尚、前記ホログラム６には反射光で色、模様が見える反射型と、透過光で色、模様が見える透過型とがあるが、本発明においては透過型を使用しても良く、この場合図示は省略するが、ＬＥＤ３または、ライトガイド５と多面プリズム４ａとの間に取付ければ良いものとなる。
【図面の簡単な説明】
【００３３】
【図１】本発明に係る装飾用照明装置の動作原理を示す断面図である。
【図２】本発明に係る装飾用照明装置の多面プリズムの作用を示す説明図である。
【図３】本発明の要部であるライトガイドの構成を示す説明図である。
【図４】同じくライトガイドの別の構成を示す説明図である。
【図５】同じくライトガイドの更に別の実施形態を示す説明図である。
【図６】同じく本発明に係る装飾用照明装置の別の実施形態を示す断面図である。
【図７】同じく本発明に係る装飾用照明装置の更に別の実施形態を要部で示す説明図である。
【図８】従来例を示す断面図である。
【図９】従来例のリニア多面プリズムの一部を破断して示す斜視図である。
【図１０】従来例の点灯状態を示す説明図である。
【符号の説明】
【００３４】
１…装飾用照明装置
２…基板
３…ＬＥＤ
４…レンズ
４ａ…多面プリズム
５…ライトガイド
５ａ…導光部
５ｂ…入射部
５ｃ…反射部
５ｄ…光射出面
５ｅ…光射出部
５ｆ…光量調整手段
５ｇ…反射面
６…ホログラム
【図１】
2006210170.tif 000003
【図２】
2006210170.tif 000004
【図３】
2006210170.tif 000005
【図４】
2006210170.tif 000006
【図５】
2006210170.tif 000007
【図６】
2006210170.tif 000008
【図７】
2006210170.tif 000009
【図８】
2006210170.tif 000010
【図９】
2006210170.tif 000011
【図１０】
2006210170.tif 000012